(57)【要約】【課題】光のロスを抑制しつつ眩しさも抑制することができる反射部を備える照明装置を提供する。【解決手段】光源２０と、光源２０から入射された光を出射する光学部材３０と、光源２０からの光を光学部材３０に向けて反射させる反射部１０とを備え、反射部１０は、光源２０からの直接光が入射しない向きに設けられた第１反射面１２１を有する。【選択図】図３
2015088389.tif 000002
【特許請求の範囲】
【請求項１】
光源と、
前記光源から入射された光を出射する光学部材と、
前記光源からの光を前記光学部材に向けて反射させる反射部とを備え、
前記反射部は、前記光源からの直接光が入射しない向きに設けられた第１反射面を有する、
照明装置。
【請求項２】
前記第１反射面と前記光学部材の光軸とのなす角度は、前記光源と前記光学部材の外縁部とを結ぶ面と前記光学部材の光軸とのなす角度以上である、
請求項１に記載の照明装置。
【請求項３】
前記第１反射面は、前記光源と前記光学部材の外縁部とを結ぶ面により囲まれる領域の外に設けられる、
請求項１または２に記載の照明装置。
【請求項４】
前記光学部材の光軸を含む前記反射部の断面において、
前記第１反射面の断面は、略直線である、
請求項１〜３のいずれか１項に記載の照明装置。
【請求項５】
前記反射部は、前記光源からの直接光を前記光学部材に向けて反射させる第２反射面を有し、
前記第２反射面は、前記第１反射面より前記光源に近い位置に前記第１反射面に連接して設けられている、
請求項１〜４のいずれか１項に記載の照明装置。
【請求項６】
前記光学部材の光軸を含む前記反射部の断面において、
前記第２反射面は、放物線の一部を含む曲面線である、
請求項５に記載の照明装置。
【請求項７】
前記反射部は、さらに、前記光源からの光を前記光学部材に向けて反射させるための第３反射面を有し、
前記第３反射面は、前記第１反射面より前記光学部材に近い位置に前記第１反射面に連接して設けられている、
請求項１〜６のいずれか１項に記載の照明装置。
【請求項８】
前記第３反射面は、前記光源からの光を乱反射させない光吸収面である、
請求項５に記載の照明装置。
【請求項９】
前記第３反射面は、シボ加工されている、
請求項８に記載の照明装置。
【請求項１０】
前記光学部材は、フレネルレンズである、
請求項１〜９のいずれか１項に記載の照明装置。
【発明の詳細な説明】
【技術分野】
【０００１】
本発明は、光を反射する反射部を備える照明装置に関する。
【背景技術】
【０００２】
ＬＥＤスポットライトやＬＥＤユニバーサルダウンライトなど、様々な配光バリエーションのある照明装置が提案されている。これらの照明装置を用いると、例えば店舗や食品スーパー、居住空間などにおいて、用途に合わせた光の演出（空間演出）を行なうことができる。
【０００３】
ＬＥＤスポットライトやＬＥＤユニバーサルダウンライトなどでは、配光バリエーションを制御するために光源の照射方向側に光学レンズを設置して用いることが多い。光学レンズには様々な種類があり、所望の用途に合わせて選択した光学レンズを設置することで拡散や狭角から広角まで幅広く配光を制御することができる。これにより、例えば、スポット的に照射物を照らすなど用途に合わせた様々な光の演出することができる。また、上記のような照明装置では、光源としてハイパワーで多粒タイプのＬＥＤが採用されることが多く、光学レンズもそれに合わせて多粒のカップ形レンズが採用されることが一般的である。
【０００４】
しかし、近年、光源として集積型のＬＥＤモジュールを採用することも増えてきている。集積型のＬＥＤモジュールは発光部サイズが大きいため、光学レンズとして従来のカップ形レンズを採用すると、光学レンズのサイズが大きくなってしまう。
【０００５】
そこで、光学レンズを薄く小さくするために、光学レンズとしてフレネルレンズを採用することが提案されている（例えば特許文献１）。
【先行技術文献】
【特許文献】
【０００６】
【特許文献１】特開２００７−１３４１６号公報
【発明の概要】
【発明が解決しようとする課題】
【０００７】
しかしながら、光学レンズとしてフレネルレンズを採用する場合、光源とフレネルレンズとには一定の距離があり、光源よりフレネルレンズに入射される光の角度によっては、フレネルレンズで全反射せずそのままフレネルレンズを抜けてしまうなどロスが発生する。
【０００８】
また、光のロスを抑制するために、光源とフレネルレンズの間に反射板を設置した場合には、設置した反射板で光のロスは抑制できるものの眩しくなるという課題がある。
【０００９】
本発明は、上述の事情を鑑みてなされたもので、光のロスを抑制しつつ眩しさも抑制することができる反射部を備える照明装置を提供することを目的とする。
【課題を解決するための手段】
【００１０】
上記課題を解決するために、本発明に係る照明装置の一態様は、光源と、前記光源から入射された光を出射する光学部材と、前記光源からの光を前記光学部材に向けて反射させる反射部とを備え、前記反射部は、前記光源からの直接光が入射しない向きに設けられた第１反射面を有する。
【００１１】
また、本発明に係る照明装置の一態様において、前記第１反射面と前記光学部材の光軸とのなす角度は、前記光源と前記光学部材の外縁部とを結ぶ面と前記光学部材の光軸とのなす角度以上であるとしてもよい。
【００１２】
また、本発明に係る照明装置の一態様において、前記第１反射面は、前記光源と前記光学部材の外縁部とを結ぶ面により囲まれる領域の外に設けられるとしてもよい。
【００１３】
また、本発明に係る照明装置の一態様において、前記光学部材の光軸を含む前記反射部の断面において、前記第１反射面の断面は、略直線であるとしてもよい。
【００１４】
また、本発明に係る照明装置の一態様において、前記反射部は、前記光源からの直接光を前記光学部材に向けて反射させる第２反射面を有し、前記第２反射面は、前記第１反射面より前記光源に近い位置に前記第１反射面に連接して設けられているとしてもよい。
【００１５】
また、本発明に係る照明装置の一態様において、前記光学部材の光軸を含む前記反射部の断面において、前記第２反射面は、放物線の一部を含む曲面線であるとしてもよい。
【００１６】
また、本発明に係る照明装置の一態様において、前記反射部は、さらに、前記光源からの光を前記光学部材に向けて反射させるための第３反射面を有し、前記第３反射面は、前記第１反射面より前記光学部材に近い位置に前記第１反射面に連接して設けられているとしてもよい。
【００１７】
また、本発明に係る照明装置の一態様において、前記第３反射面は、前記光源からの光を乱反射させない光吸収面であるとしてもよい。ここで、前記第３反射面は、シボ加工されているとしてもよい。
【００１８】
また、本発明に係る照明装置の一態様において、前記光学部材は、フレネルレンズであるとしてもよい。
【発明の効果】
【００１９】
本発明によれば、光のロスを抑制しつつ眩しさも抑制することができる反射部を備える照明装置を実現することができる。
【図面の簡単な説明】
【００２０】
【図１】本発明の実施の形態１に係る照明装置の分解斜視図である。
【図２】本発明の実施の形態１に係る照明装置の断面図である。
【図３】本発明の実施の形態１に係る反射部の一例の断面図である。
【図４】本発明の実施の形態１に係る照明装置の要部断面図である。
【図５】本発明の実施の形態１に係る照明装置の効果を説明するための要部断面図である。
【図６】本発明の実施の形態１に係る照明装置の効果について説明するための図である。
【図７】本発明の実施の形態１の変形例に係る照明装置の要部断面図である。
【図８】本発明の実施の形態２に係る反射部の一例の断面図である。
【図９】本発明の実施の形態２に係る照明装置の要部断面図である。
【図１０】第３反射面の乱反射の様子を示す図である。
【図１１】本発明の実施の形態３に係る照明装置の要部断面図である。
【発明を実施するための形態】
【００２１】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態、工程（ステップ）、工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００２２】
なお、各図は、模式図であり、必ずしも厳密に図示されたものではない。また、各図において、実質的に同一の構成に対しては同一の符号を付しており、重複する説明は省略又は簡略化する。
【００２３】
（実施の形態１）
まず、本発明の実施の形態１に係る照明装置１について、図を用いて説明する。図１は、本発明の実施の形態１に係る照明装置の分解斜視図である。図２は、図１の照明装置の断面図である。
【００２４】
図１および図２に示す照明装置１は、例えばスポットライトや下方に光を照明するダウンライト等の照明器具に用いられる。
【００２５】
照明装置１は、反射部１０と、光源２０と、光学部材３０と、器具本体４０と、枠体５０とを備える。照明装置１は、図１に示すように、器具本体４０と光源２０と反射部１０と光学部材３０と枠体５０とがこの順で積層されて構成される。
【００２６】
以下、照明装置１における各構成部材について詳細に説明する。
【００２７】
［光源２０］
まず、光源２０について説明する。
【００２８】
光源２０は、例えば発光素子を有する発光モジュールであって、所定の光を放射状に放出するＬＥＤ光源である。光源２０は、例えば白色光を放出するように構成されている。光源２０は、基台２０ｂと基台２０ｂ上に実装されたベアチップである複数のＬＥＤ２０ａと、それらＬＥＤ２０ａを封止する封止部材とを備える。なお、図２に示す照明装置１において、光源２０の光軸は鉛直方向（図で下方向）である。
【００２９】
基台２０ｂは、複数のＬＥＤ２０ａを実装するための実装基板であって、例えば樹脂基板、セラミックス基板又は絶縁被覆されたメタルベース基板等である。また、基台２０ｂは、例えば平面視が矩形形状である平面を有する板状であり、基台２０ｂの底面（図２の上側）が器具本体４０に取り付けられて固定される。なお、図示しないが、基台２０ｂには、ＬＥＤ２０ａ（光源２０）を発光させるための直流電力を外部から受電するための一対の電極端子（正電極端子及び負電極端子）が形成されている。
【００３０】
［光学部材３０］
次に、光学部材３０について説明する。光学部材３０は、器具本体４０の光源２０と対向する位置に配置され、光源２０から入射された光を出射する。
【００３１】
光学部材３０は、枠体５０の内底面に固定され、光学部材３０の厚さ方向の一方の面（図２で上側面）から入射した光源２０の光を当該一方の面に対向する他の面（図２で下側面）から出射させる。光学部材３０は、例えば透光性材料を用いて形成されており、例えばＰＭＭＡ（アクリル）、ポリカーボネート等の透明樹脂材料、または、ガラス材料等の絶縁性を有する透明材料を用いて形成することができる。
【００３２】
本実施の形態では、光学部材３０の一例として、フレネル形状のレンズを用いて説明する。より具体的には、本実施の形態の光学部材３０は、厚さ方向の一方の面の中央部に、屈折または透過するレンズが形成され、中央部を除く領域に全反射するフレネル形状のレンズが形成され、厚さ方向の一方から入射した光を厚さ方向の他方から出射する。なお、光学部材３０は、この例に限らず、フレネルレンズであってもよいし、凸レンズや透光性のあるフラットパネルであってもよい。
【００３３】
［器具本体４０］
次に、器具本体４０について説明する。器具本体４０は、光源２０を内部で支持する。
【００３４】
本実施の形態では、器具本体４０は、光源２０が取り付けられる取付台であるとともに、光源２０で発生する熱を放熱するヒートシンクである。器具本体４０は、金属材料を用いて略円柱状に形成され、例えばアルミダイカスト工程を経て形成される。
【００３５】
具体的には、器具本体４０は、光源２０を取り付けるための取付部を有する。つまり、器具本体４０は、光源２０を取付部に取り付けることで光源２０を固定する。なお、器具本体４０は、光源２０を直接固定する場合に限らず、器具本体４０の取付部に放熱部材（ヒートシンク）を介して、固定するとしてもよい。
【００３６】
また、図１に示すように、器具本体４０の下部（図１で下部）には、下方に向かって突出する複数の放熱フィンが設けられている。これにより、光源２０で発生する熱を効率よく放熱させることができる。
【００３７】
［枠体５０］
次に、枠体５０について説明する。枠体５０は、例えば灯具であり、器具本体４０に取り付けられることで、器具本体４０と枠体５０とで光学部材３０と反射部１０とを固定する。
【００３８】
枠体５０の上部には、光学部材３０を通過した光源２０からの光が入射する入射口が設けられている。また、枠体５０の下部には、枠体５０に入射した光を外部に出射させる出射口が設けられている。これら入射口及び出射口は円形状に開口されている。
【００３９】
枠体５０は、器具本体４０と同様に、金属材料を用いて略円柱状に形成され、例えばアルミダイカスト工程を経て形成される。
【００４０】
［反射部１０］
次に、反射部１０について説明する。反射部１０は、光源２０と光学部材３０との間に設けられ、光源２０からの光を光学部材３０に向けて反射する。
【００４１】
本実施の形態では、反射部１０は、器具本体の内面と枠体５０の内面とに固定され、光源２０からの光を光学部材３０の厚さ方向の一方の面（図２で下側面）に反射させる反射機能を有する。また、反射部１０は、図１および図２に示すように内径が入射口から出射口に向かって漸次大きくなるように構成されており、例えばポリブチレンテレフタレート（ＰＢＴ）など硬質の白色樹脂材料を用いて形成することができる。なお、反射部１０の反射面は、アルミニウム等の金属材料により形成するとしてもよい。また、反射部１０は、樹脂により形成され、反射部１０の内面に、反射面として銀やアルミニウム等の金属材料からなる金属蒸着膜（金属反射膜）を形成するとしてもよい。
【００４２】
ここで、反射部１０について、図２を参照しながら、図３〜図５を用いて詳述する。
【００４３】
図３は実施の形態に係る反射部の一例の断面図であり、図４は実施の形態１に係る照明装置の要部断面図であり、図３に示す反射部を有する照明装置の要部断面図である。図５は実施の形態１に係る照明装置の効果を説明するための要部断面図である。ここで、図３は、図２に示される光源２０（光学部材３０）の光軸を含む反射部１０の断面のうちの右側部分を要部断面図として示したものである。
【００４４】
本実施の形態の反射部１０は、図３に示すように、第１反射面１２１を有する第１反射部１２と、第２反射面１１１を有する第２反射部１１と、第３反射面１３１を有する第３反射部１３とを備える。これら３つの反射面（第１反射面１２１、第２反射面１１１、第３反射面１１３）は、互いに傾斜が異なるように設けられる。なお、反射部１０は、例えば図３に示すように第１反射部１２が占める領域が支配的（大半）である。
【００４５】
第１反射面１２１は、光源２０からの直接光が入射しない向きに第１反射部１２に設けられた反射面である。
【００４６】
ここで、光源２０からの直接光が仮に第１反射面１２１に入射されるとすると、第１反射面１２１と光学部材３０との距離が近いため、光学部材３０に対して鋭角（光学部材３０の光軸に対して大きな角度）に光を反射してしまい、眩しさを抑制できない。したがって、本実施の形態では、反射部１０による眩しさを抑制するために、第１反射面１２１は、光源２０からの直接光をできるだけ反射しないように反射部１０（第１反射部１２）に設けられる。
【００４７】
より具体的には、第１反射面１２１は、図４に示す角度θ１＞角度θ２の関係を満たすように設けられる。つまり、第１反射面１２１と光源２０の平面（図４で線Ｌ３ａ）とのなす角度θ２は、光源２０の中心と光学部材３０の外縁部とを結ぶ面（図４で線Ｌ２）と光源２０の平面（図７で線Ｌ３）とのなす角度θ１より小さくなるように反射部１０は器具本体４０と枠体５０との内面に固定される。言い換えると、第１反射面１２１と光学部材３０の光軸（図４で線Ｌ１）とのなす角度（θ２の補角）は、光源２０と光学部材３０の外縁部とを結ぶ面（図４で線Ｌ２）と光学部材３０の光軸（図４で線Ｌ１）とのなす角度（θ１の補角）以上となるように反射部１０は器具本体４０と枠体５０との内面に固定される。
【００４８】
また、第１反射面１２１は、光源２０の直接光が当たる領域の外に設けられる。より具体的には、第１反射面１２１は、光源２０と光学部材３０の外縁部とを結ぶ面（図４では線Ｌ２）により囲まれる領域（図４では線Ｌ２よりも上側の領域）の外に設けられる。なお、図５では、光学部材３０の外縁部に入射された光源２０の直接光が、光学部材３０から出射されている様子（図５で光Ｐ１）が示されている。
【００４９】
ここで、第１反射面１２１の断面は、好ましくは、光学部材３０の光軸を含む反射部１０の断面において、略直線に設けられる。これにより、第１反射面１２１を光源２０の直接光が当たる領域の外に設けることができる。
【００５０】
これにより、第１反射面１２１は、光源２０からの直接光を光学部材３０に向けて反射することを抑制できるので、第１反射面１２１で直接光を乱反射することを防止できる。また、第１反射面１２１は、例えば図５に示すように、光源２０からの間接光を光学部材３０に向けて反射することができる。間接光は、直接光に比べると光量が少ないため、乱反射して光学部材３０に進入したとしても眩しさにつながりにくい。ここで、間接光とは、例えば光学部材３０で跳ね返った光などである。
【００５１】
このようにして、第１反射面１２１を有する反射部１０は、光のロスを抑制しつつ眩しさも抑制することができる。
【００５２】
なお、第１反射面１２１は、光学部材３０の光軸を含む反射部１０の断面において略直線である場合に限らない。第１反射面１２１は、当該断面において緩やかな（直線に近い）曲線でも緩やかな放物線の一部でもよい。この場合には、第１反射面１２１は、若干直接光を反射してしまう部分を有することになるので眩しさの効果が損なわれるが、照明装置１の仕様や反射部１０のデザイン要求などで適宜選択すればよい。
【００５３】
第２反射面１１１は、光源２０から直接光を光学部材３０に向けて反射させるために第２反射部１１に設けられた反射面である。第２反射面１１１は、第１反射面１２１より光源２０に近い位置に第１反射面１２１に連接して設けられる。第２反射面１１１は、光学部材３０の光軸を含む反射部１０の断面において、例えば略直線である。
【００５４】
第２反射面１１１と光源２０の平面（図４で線Ｌ３ｂ）とのなす角度θ３は、第１反射面１２１と光源２０の平面（図４で線Ｌ３ａ）とのなす角度θ２よりも大きい。言い換えると、第２反射面１１１と光学部材３０の光軸（図４で線Ｌ１）とのなす角度（θ３の補角）は、第１反射面１２１と光学部材３０光軸（図４で線Ｌ１）とのなす角度（θ２の補角）より小さくなるように反射部１０は器具本体４０と枠体５０との内面に固定される。
【００５５】
また、第２反射面１１１は、光源２０の外殻（図４で線Ｌ４）よりも外側に設けられる。言い換えると、第２反射面１１１の開始点（図４で線Ｌ５）は、光源２０の外殻よりも外側に設けられる。
【００５６】
このように、反射部１０の光源２０近傍に、光源２０から直接光を光学部材３０に向けて反射させるための第２反射面１１１を設けることにより、反射部１０の反射面を第１反射面１２１だけで形成してしまう場合に比べて、光の取り出し効率を上げることができる。また、第２反射面１１は、光学部材３０から離れた位置に設けられることにより、第２反射面１１を設けても眩しさへの影響は軽微である。
【００５７】
第３反射面１３１は、光源２０からの光を光学部材３０に向けて反射させるために第３反射部１３に設けられた反射面である。第３反射面１３１は、第１反射面１２１より光学部材３０に近い位置に第１反射面１２１に連接して設けられている。これにより、反射部１０の光の取り出し効率や眩しさを制御することができる。
【００５８】
［効果］
ここで、図６を用いて、本実施の形態の照明装置の効果について説明する。
【００５９】
図６は、本実施の形態の照明装置の効果について説明するための図である。図６では、比較例に係る照明装置と本実施の形態の照明装置の眩しさの比較を示している。図６において、横軸はグレア角度を示しており、原点から遠ざかるほど、図２の鉛直方向下向きに近い角度になることを示している。縦軸は光度値を示している。また、Ａは、比較例に係る照明装置の測定結果を示しており、Ｂは、本実施の形態の照明装置の測定結果を示している。ここで、比較例に係る照明装置は、本実施の形態のような眩しさ対策が施されていない例えば曲面状の反射板が構成されているものである。
【００６０】
したがって、図６に示すように、本実施の形態の照明装置は、比較例の照明装置に対して、グレア１５度およびグレア３０度における光度値が低いことから、本実施の形態の照明装置では眩しさを抑制できていることがわかる。
【００６１】
以上のように、本実施の形態では、光のロスを抑制しつつ眩しさも抑制することができる反射部を備える照明装置を実現することができる。
【００６２】
また、本実施の形態における照明装置１では、例えば図３に示すように、第１反射面１２１は、反射部１０に形成される反射面で支配的な領域となるよう設けられている。そのため、たとえ第２反射面１１１や第３反射面１３１が形成されても、それらが眩しさに影響する度合いは小さい。つまり、本実施の形態の反射部１０を備える照明装置１は、光のロスを抑制しつつ眩しさも抑制することができるという効果を奏する。
【００６３】
（変形例）
図７は、実施の形態１の変形例に係る照明装置の要部断面図である。
【００６４】
実施の形態１では、光源２０と光学部材３０の外縁部とを結ぶ面は、光源２０の中心と光学部材３０の外縁部とを結ぶ面（図４で線Ｌ２）として説明したがそれに限らない。図７に示すように、光源２０と光学部材３０の外縁部とを結ぶ面は、光源２０の一方の端面と光学部材３０の外縁部とを結ぶ面（図７で線Ｌ７）であってもよい。
【００６５】
ここで、光源２０の一方の端面は、光学部材３０の外縁部から遠い方の端面（図７で線Ｌ６の面）である。この場合、第１反射面１２１Ａは、図７に示す角度θ３＞角度θ２の関係を満たすように設けるとよい。つまり、第１反射面１２１Ａと光源２０の平面（図７で線Ｌ３ａ）とのなす角度θ２は、光源２０の一方の端面と光学部材３０の外縁部とを結ぶ面（図７で線Ｌ７）と光源２０の平面（図７で線Ｌ３）とのなす角度θ３より小さくなるように反射部１０は器具本体４０と枠体５０との内面に固定される。
【００６６】
このようにすることで、反射部１０（第１反射部１２Ａ）に、光源２０からの直接光がより入射しない第１反射面１２１Ａを設けることができる。それにより、光のロスを抑制しつつより眩しさも抑制することができる反射部を備える照明装置を実現することができる。
【００６７】
（実施の形態２）
実施の形態１では、第２反射面１１１が（光学部材３０の光軸を含む反射部１０の断面において）略直線であるとして説明したがそれに限らない。実施の形態２では、第２反射部が略直線でない場合の例について図を用いて説明する。以下では、実施の形態１と異なるところを主に説明する。
【００６８】
図８は、本発明の実施の形態２に係る反射部の一例の断面図である。図９は実施の形態２に係る照明装置の要部断面図であり、図８に示す反射部を有する照明装置の要部断面図である。図９において、光学部材３０は中央部にフレネル形状でないフラット面を有する平面部３１を有している。
【００６９】
本実施の形態の反射部１０Ｂは、図９に示すように、第１反射面１２１を有する第１反射部１２と、第２反射面１１１Ｂを有する第２反射部１１Ｂと、第３反射面１３１を有する第３反射部１３とを備える。本実施の形態の反射部１０Ｂは、実施の形態１の反射部１０に対して、第２反射面１１１Ｂの形状が異なる。
【００７０】
具体的には、第２反射面１１１Ｂは、光学部材３０の光軸を含む反射部１０の断面において、第２反射面１１１は、放物線の一部を含む曲線である。その他については、実施の形態１と同様であるため説明を省略する。
【００７１】
これにより、第２反射面１１１Ｂで反射（制御）する光を、光学部材３０のフラット面である平面部３１の付近（図で領域Ｙ）に集めることができる。それにより、光取出し効率がよくなり、眩しさを低減できる効果を奏する。つまり、第２反射面１１１Ｂは、光学部材３０の中央部にフラット面である平面部３１が形成されているときに効果を奏する。
【００７２】
なお、光学部材３０の中央部にもフレネル形状が形成されている場合には、実施の形態１の形状の方が好ましい。
【００７３】
また、第２反射面１１１Ｂの形状は、放物線の一部を含む曲線でなくともよく、照射面の状態等によってアール形状でもよい。
【００７４】
（実施の形態３）
以下、実施の形態３について図を用いて説明する。
【００７５】
図１０は、第３反射面の乱反射の様子を示す図である。図１１は、実施の形態３に係る照明装置の要部断面図である。なお、図４と同様の要素には同一の符号を付しており、詳細な説明は省略する。
【００７６】
実施の形態１および２では、第３反射面１３１は、光源２０からの光を光学部材３０に向けて反射させるために第３反射部１３に設けられた反射面であり、光吸収面となる加工がされていない場合について説明した。実施の形態１および２における第３反射面では、図１０の領域Ｚ１に示すように、第３反射面に、光学部材３０で屈折や反射した光が集まりやすいので様々な方向に光を反射（乱反射）させてしまう。その結果、領域Ｚ２に示すように、光学部材３０から出射される光に領域Ｚ１で乱反射された光が混じって出射されてしまうので眩しさが増加してしまう。つまり、実施の形態１および２における第３反射面によれば、光学部材３０の周辺で人の目から見える範囲において、乱反射された光が混じるため、グレア（眩しさ）を増しやすい。
【００７７】
そのため、実施の形態３では、例えば、第３反射面を黒色にしたり第３反射面にシボ加工を施したりするなどにより第３反射面を光吸収面とする。すなわち、実施の形態３における第３反射面を光源２０からの光を乱反射させない光吸収面にする。それにより、第３反射面による眩しさを抑制することができる。
【００７８】
また、第３反射面による眩しさを抑制する構成としては、第３反射面を光吸収面とする場合に限られない。例えば図１１に示す第３反射面を光吸収面にする反射部１０Ｃのように、第３反射面を備えない構成にするとしてもよい。
【００７９】
それにより、第３反射面による眩しさを抑制することができる。
【００８０】
なお、本実施の形態の場合、光の取り出し効率は若干低下するので、眩しさが許容できる範囲の中で第３反射面の形状、吸収度合いを、光の取り出し効率の許容範囲と眩しさの許容範囲とに基づき決定するとよい。
【００８１】
（その他変形例等）
以上、実施の形態に係る照明装置について説明したが、本発明は、上記実施の形態に限定されるものではない。
【００８２】
例えば、実施の形態１〜３では、反射部の反射面は、より眩しさを抑える効果がある鏡面（拡散性が少ない）とする場合を主に説明したが、それに限らない。反射部の反射面は、拡散性がある白反射板や表面を粗にするものであってもよい。
【００８３】
以上、一つまたは複数の態様に係る照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【００８４】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００８５】
１  照明装置
１０、１０Ｂ、１０Ｃ  反射部
１１、１１Ｂ  第２反射部
１２、１２Ａ  第１反射部
１３  第３反射部
１１１  第２反射面
１２１、１２１Ａ  第１反射面
１３１  第３反射面
２０  光源
２０ａ  ＬＥＤ
２０ｂ  基台
３０  光学部材
３１  平面部
４０  器具本体
５０  枠体
【図１】
2015088389.tif 000003
【図２】
2015088389.tif 000004
【図３】
2015088389.tif 000005
【図４】
2015088389.tif 000006
【図５】
2015088389.tif 000007
【図６】
2015088389.tif 000008
【図７】
2015088389.tif 000009
【図８】
2015088389.tif 000010
【図９】
2015088389.tif 000011
【図１０】
2015088389.tif 000012
【図１１】
2015088389.tif 000013